(57)【要約】【課題】  建築外観デザインや高施工性ニーズに対応する雨水排水システムとして、また、壁内隠蔽配管もできる雨水排水システムを提供するものである。【解決手段】  軒樋或いはル−フドレンなどの雨水集合材と、これに連結された複数の小径の立管と、下水道に接続した集合枡と、よりなり、集合枡には先端が上向きのパイプ群が備えられ、パイプ群の夫々の他端に前記立管を接続した雨水排水用集合枡。２‥立管、４‥集合枡、５‥パイプ、５ａ‥パイプ先端、５ｂ‥パイプ他端、６‥ノズル、７‥雨水集合材、８‥サイホン。【選択図】  図３
2005307733.tif 000002
【特許請求の範囲】
【請求項１】
雨水集合材と、これに連結された複数の小径の立管と、下水道に接続した集合枡と、よりなり、集合枡には先端が上向きのパイプ群が備えられ、パイプ群の夫々の他端に前記立管を接続したことを特徴とする雨水排水用集合枡。
【請求項２】
雨水集合材が軒樋或いはル−フドレンである請求項１記載の雨水排水用集合枡。
【請求項３】
パイプ先端に、集合枡の側面に雨水を吐出するノズルを装着した請求項１記載の雨水排水用集合枡。
【請求項４】
ノズルが着脱自在である請求項１記載の雨水排水用集合枡。
【請求項５】
パイプ先端に、集合枡の側面に雨水をシャワ−状に吐出する制御プレ−トを装着した請求項１記載の雨水排水用集合枡。
【請求項６】
制御プレ−トがパイプ各先端に対して湾曲状の窪みを備えた請求項５記載の雨水排水用集合枡。
【請求項７】
湾曲状の窪みは水圧によって上下動可能とした請求項６記載の雨水排水用集合枡。
【請求項８】
制御プレ−トが着脱自在である請求項５記載の雨水排水用集合枡。
【請求項９】
パイプ群の上向きの先端より加圧空気或いは加圧送水して立管内の清掃を行う請求項１記載の雨水排水用集合枡。
【請求項１０】
立管が可撓性樹脂管である請求項１記載の雨水排水用集合枡。
【請求項１１】
雨水集合材と複数の小径の立管との間に、サイホン発生装置を備えた請求項１記載の雨水排水用集合枡。
【発明の詳細な説明】
【技術分野】
【０００１】
本発明は雨水排水用集合枡に開するものである。
【背景技術】
【０００２】
一般の雨水排水系統は、軒先設置の軒樋、陸屋根ルーフドレンを介して通常４〜８本の雨水排水立管〔管径Ｄ＝５０ｍｍ）を外壁面を露出し敷地レベルまで立ち下げ、別に設置する敷地排水系統に合流させ排水集合枡に集める。そして、雑排水汚水などと合流し公共下水道の排水管渠に接続されるものである。
【０００３】
このような従来の雨水立管は外壁面に露出して設置されるために、建築外観デザインを阻害したり狭隘な敷地条件では配管工事が難しく、また、施工時間が掛かるなど設置上の問題があった。さらに、配管〔立管及び横管）の内部清掃が必要な時には、高所作業を伴い、建物周りに立管一つ一つにつき夫々の位置で行う必要があった。
【０００４】
しかるに、敷地排水系統を屋外設置しにくい場合や、建築デザイン要請から雨水立管を外壁露出したくないなどの要請があるが、この要請に従って屋内隠蔽配管した場合には、かなり広いパイプスペ−スと多数の排水立管の必要な排水系統となつてしまう。さらに、１階床に点検清掃口が設けられればまだよいが、計画上できないケースがあり、この場合には、床を上げて配管ビット空間を別に設けるなど建築主体構造にまで及ぶ計画変更が必要であり、建築計画に無駄が多く、かつメンテナンスが難しいなどの問題が残る。
【発明の開示】
【発明が解決しようとする課題】
【０００５】
本発明は以上のような従来技術に鑑みてなされたものであり、建築外観デザインや高施工性ニーズに対応する雨水排水システムとして、また、壁内隠蔽配管もできる雨水排水システムを提供するものである。
【課題を解決するための手段】
【０００６】
本発明の要旨は、軒樋或いはルーフドレンなどの雨水集合材と、これに連結された複数の小径の好ましくは可撓性のある複数の樹脂製の立管と、地表に置かれ或いは地中に埋められて下水道に接続した集合枡と、よりなり、集合枡には先端が上向きのパイプ群が備えられ、このパイプ群の夫々の他端に前記複数の立管をそのまま接続したことを特徴とする雨水排水用枡にかかるものである。
【０００７】
そして、通常はパイプ先端に集合枡の側面に雨水を吐出するノズルを装着し、或いは、集合枡の側面に雨水をシャワ−状に吐出する制御プレートを装着した雨水排水用集合枡にかかるものである。一般には、パイプ先端に装着されたノズルや制御プレートは着脱自在となっており、これを取り外してパイプ先端より逆に加圧空気或いは加圧送水して立管内の清掃を行うことができるものである。
【０００８】
なお、雨水集合材と立管との間に、サイホン発生装置を介在させるのがよく、これによって立管内壁の清掃が常に行われることになる。
【発明の効果】
【０００９】
本発明は以上の通りであり、屋根などに設置する雨水集合枡に接続する小径の立管の複数本を集合枡にそのまま導くものであつて、従来のような敷地排水系統を不要としたものである。このため、屋外配管工事を最小限にとどめ、施工時間短縮とローコスト化が実現できたものである。そして、集合枡における上向きのパイプ先端より加圧空気や加圧水を逆送することによって立管内の異物の付着物を取り除くことができたものであり、メンテナンスの面でも優れたものとなった。
【００１０】
さらに、立管の管径は従来の立管と比較して細いもので十分であり、メンテナンスの簡便さから見ても屋内に隠蔽することが可能となり、建物の外観的にも優れたものとなったものである。
【発明を実施するための最良の形態】
【００１１】
本発明は雨水集合材に接続される比較的細めの立管（横管を含む〕をそのまま雨水集合枡へ接続するものであり、この雨水集合枡にあっては、先端が上向きのパイプ群を備えており、この他端に立管を繋ぐことになる。このように立管をそのまま横管として用いることもできるものであって、この場合には敷地排水系統が不要となり、排水系統は原則的に一つの敷地に一つだけあればよく、スペ−ス的にもメリットがあり、しかもメンテナンス的にも一か所で作業ができるという大きなメリットがある。
【００１２】
さらに、パイプの先端が上向きとされているため、このパイプ先端から加圧空気や加圧水を送ることによって立管内壁にこびりついたごみや砂などを除去することが可能となったものである。かかる作業はパイプの先端が集中しているため、一か所で行うことができることとなり、その作業性は極めて効率的となったものである。勿論、高所での作業は全くなく、作業性の面でも優れたものである。
【００１３】
さらにまた、このパイプの先端に集合枡の側面に向けて噴出するノズルが着脱自在に嵌め込まれ、或いは、集合枡の側面に雨水をシャワ一状に吐出する制御プレ−トを着脱自在に装着することによって、立管からの排水によって常に側壁が洗われることとなり、ごみなどの付着が阻止される。なお、制御プレ−トはパイプ各先端に対して湾曲状の窪みを備えてシャワ−状に吹き出させるようにするのがよく、特に好ましくは、湾曲状の窪みは水圧によって上下動調節が可能とした構造のものがよい。
【００１４】
本発明において、最も好ましい形態は雨水集合材と立管との聞にサイホン発生装置を介在させるものである。これによって、立管内に満流流れをもたらすものであって、立管の太さを細くでき、また、立管の内壁の清掃をも併せて行うことができることとなったものである。
【００１５】
ここで好ましいサイホン発生装置について説明すると、主として生活排水に採用される排水システムとして、排水構管内の流体を満流流れとし、いわゆるサイホン流れとして従来技術の改良をしようとするものがある（特許文献１）。
【００１６】
【特許文献１】特開２０００−２９７４４７号公報
【００１７】
かかる特許文献１に記載のサイホン流れの特徴は、例えば各階を貫く排水立管と、各階の水周り器具から導かれる排水横管と、排水立管へこれを直接接続する継手とからなる排水システムであつて、前記継手のレベルを排水横管のレベルより下げ、排水横管内の流体をサイホン流れとなし垂直速度成分を十分に付与してから排水立管内の流体に合流させる排水システムである。
【００１８】
本発明は、かかる排水システムにおけるサイホン流れのシステムを雨水立管に利用しようとするものであり、具体例としては、雨水を溜める容器と、先端が容器の底近くに配置され、容器の頂部近くにて折り返されたパイプと、このパイプの他端が排水立管に接続されたことを特徴とする雨水排水立管用サイホン発生装置がある。
【００１９】
この発生装置を採用することにより、通常では満流流れにならない雨水を間欠的に満流流れをもたらすこととなったもので、これによって立管内璧にこびりついてしまうごみや砂塵などを洗浄することができるようになったものであり、いわゆるメンテナンスフリ−な排水システムを提供できたものである。このため、立管の太さも比較的細いもので十分であり、しかも立管が可撓性のある樹脂管でよく、したがって、これを途中で連結することなく雨水集合枡へ導くだけで済むものである。さらには、立管が細いために壁の内部に隠蔽することも容易であり、その際に立管を束ねて扱うことも可能でその取扱やすさは大きなメリットである。
【実施例】
【００２０】
以下、本発明を最良の実施例をもってさらに詳細に説明する。図１は従来例における全体平面図、図２は本発明の全体平面図、図３はその主要部の立面図である。
【００２１】
図１にて分かるように家屋１には５か所に立管〔管径５０ｍｍ）２が配置され、これが敷地の土中に備えられた雨水管〔横管）３に集められ、さらにこの雨水が集合枡４に集められて下水道に導かれることになっている。したがって、敷地内には雨水管３が埋められるスペースか必要となり、さらには、この雨水管３や立管２のメンテナンスも必要となっていた。このメンテナンスは敷地を掘り返したり、高所における作業であったり、危険が伴うものでもあった。
【００２２】
一方、図２は本発明の全体平面図であり、図１と同様に家屋１には６か所に立管２が配置されているが、夫々が可撓性のある樹脂管（管径２０ｍｍ）であり、これがそのまま集合枡４にまで伸ばされている。したがって、従来のような雨水管３は基本的に不要となったものである。そして、立管が細いために屋内隠蔽配管に際し専用パイプシャフトなしでも十分に外壁内に収容できることとなり、建築外観ザインへの悪影響もなくなるという特徴もある。
【００２３】
しかも、図３にて示すように集合枡４には先端５ａが上向きのパイプ５が束ねられて備えられ、パイプの他端５ｂに前記立管２を接続したものである。図４はパイプ５の先端５ａを示す平面図であり、先端５ａは全て上向きに揃えられており、パイプ５は全体としてＬ字状をなしている。そして、通常はこのパイプ先端５ａに着脱自在にノズル６が装着されており、このノズル６の先端はいずれも集台枡４の側面に向けられていて、立管２からの雨水はこのノズル６より集合枡４の側面にシャワ−状に噴射されることになっている。このため、雨水によつて集合枡４の自動洗浄が可能となったものである。
【００２４】
前記したようにこのノズル６は着脱自在であって、これを取り外した際にはパイプ５の先端５ａは上向きとなっている。したがって、この先端５ａから加圧空気や加圧水を雨水の流れとは逆に送ることによつて立管２の内部の洗浄が可能となったものである。このことは、システム全体として基本的に集合枡４より全て洗浄ができることとなったものであり、土を掘り返したり、高所にての作業は全く不要となったものである。
【００２５】
さらに、この図例にあつては、家屋１の例えば軒樋にて代表される雨水集合材７と立管２との間に、サイホン発生装置８を備えたもので、これによって特に立管２の管径を細くすることが可能となったものである。ここで、サイホン発生装置８について言及すると、雨水集合材７にペットボトル程度の大きさの容器９が接続され、雨水集合材７に流入した雨水がこの容器９内に溜るようになっている。
【００２６】
この容器９内には曲がりパイプ１０が挿入されており、その先端１０ａは容器９内の雨水が溜る空間のできるだけ底に近い位置に配置される。一方、同様に雨水が溜る空間のできるだけ頂上部に近い位置で曲がりパイプ１０の折り返し部１０ｂを形成したものであり、そして、曲がりパイプ１０の他端１０ｃは立管２に接続されている。
【００２７】
このように構成されたサイホン発生装置にあって、雨水が容器９内に溜ることとなるが、その高さが曲がりパイプ１０の折り返し部１０ｂに達すると、曲がりパイプ１０内にサイホン現象がもたらされ、高さＨの分だけの雨水が一気に立管２内を満流流れとなって流下する。この満流流れの発生は間欠的ではあるが、これによって立管２の内壁にこびりついたごみなどが排除される効果をもたらすものである。
【００２８】
図５はノズル６に代えて用いられる制御プレ−ト２０である。かかる制御プレ−ト２０にはパイプ先端５ａに対して装着されるもので、各パイプ先端５ａに対向して湾曲状の窪み２０ａを備えたものである。２１はパイプ先端５ａを束ねて支持するプレ−トであり、夫々のパイプ先端５ａに対してスリ−ブ２１ａが嵌め込まれている。２１ｂは受け具であり、制御プレ−ト２０に備えられたボルト２０ｂと螺合されて装着されるものである。
【００２９】
この例にあっては、スリ−ブ２１ａより吹き上げられた雨水は、窪み２０ａに衝突し、ここで、周囲にシャワ−状に撒き散らされ、集合枡の内側面を常に清掃する機能をもつことになる。
【００３０】
図６はノズル６に代えて用いられる制御プレ−ト２０のさらに別例を示すものである。かかる制御プレ−ト２０にはスリ−ブ２１ａに対向してバネ性を有するシリンダ−２０ｃを備えている。すなわち、夫々のシリンダ−２０ｃは内部にコイルバネ２０ｄを内蔵しており、シリンダ−２０ｃの先端に窪み２０ａを形成したものである。
【００３１】
この例にあっては、スリ−ブ２１ａより吹き出された雨水はシリンダ−２０ｃの先端の窪み２０ａに衝突し、シリンター２０ｃを押し上けつつシャワ−状に周囲に撒き散らす機能を有するものであり、シリンダー２０ｃの押し上げによって雨水の水勢が制御されることになる。
【産業上の利用可能性】
【００３２】
本発明の雨水排水用集合枡を用いることによってシステム全体として安価に構成され、しかもメンテナンス上も有利であり、戸建て住宅は勿論、集合住宅にも広く採用可能である。特に、サイホン発生装置との組み合わせのシステムによればメンテナンス上で特に効果的である。
【図面の簡単な説明】
【００３３】
【図１】図１は従来例における雨水排水システムの全体平面図である。
【図２】図２は本発明における雨水排水システムの全体平面図である。
【図３】図３は図２の主要部の立面図である。
【図４】図４は集合枡内のパイプの先端図である。
【図５】図５は制御プレートの一部断面図である。
【図６】図６は制御プレートの別例を示す一部断面図である。
【符号の説明】
【００３４】
１‥家屋、
２‥立管、
４‥集合枡、
５‥パイプ、
５ａ‥パイプ先端、
５ｂ‥パイプ他端、
６‥ノズル、
７‥雨水集合材、
８‥サイホン
９‥容器、
１０‥曲がりパイプ、
１０ａ‥曲がりパイプの先端、
１０ｂ‥曲がりパイプの折り返し部、
１０ｃ‥曲がリパイプの他端、
２０‥制御プレート、
２０ａ‥制御プレート先端の湾曲状の窪み、
２０ｂ‥ボルト、
２０ｃ‥シリンダ−、
２０ｄ‥コイルバネ、
２１‥パイプ支持プレート、
２１ａ‥スリーブ、
２１ｂ‥受け具。
【図１】
2005307733.tif 000003
【図２】
2005307733.tif 000004
【図３】
2005307733.tif 000005
【図４】
2005307733.tif 000006
【図５】
2005307733.tif 000007
【図６】
2005307733.tif 000008